(57)【特許請求の範囲】
【請求項１】
インターネットを経由して文書情報の送受信を行うとともに、公衆交換電話網を経由してファクシミリ画情報の送受信を行うインターネット通信装置の通信制御方法において、
前記インターネットを経由して受信した電子メールを前記ファクシミリ画情報として転送するに際して該転送を拒否した場合、該電子メールの添付ファイルが展開できるか否か確認し、
前記添付ファイルが展開可能と確認した場合、前記電子メールおよび前記転送の拒否理由とともに該添付ファイルを印刷出力し、
前記添付ファイルが展開不可能と確認した場合、該添付ファイルを印刷出力しない
ことを特徴とするインターネット通信装置の通信制御方法。
【請求項２】
前記展開可能と確認した添付ファイルの容量が所定の容量より大きい場合、該添付ファイルを印刷出力しない
ことを特徴とする請求項１記載のインターネット通信装置の通信制御方法。
【請求項３】
インターネットを経由して文書情報の送受信を行うとともに、公衆交換電話網を経由してファクシミリ画情報の送受信を行うインターネット通信装置において、
前記インターネットを経由して受信した電子メールを前記ファクシミリ画情報として転送する処理を拒否する転送拒否手段と、
前記転送拒否手段で前記転送を拒否した場合、前記電子メールおよび該転送の拒否理由を印刷出力する印刷手段と、
前記転送拒否手段で前記転送を拒否した場合、前記電子メールの添付ファイルが展開できるか否か確認する第１の確認手段と
を具備し、
前記印刷手段は、
前記第１の確認手段で前記添付ファイルが展開可能と確認した場合、前記電子メールおよび前記転送の拒否理由とともに該添付ファイルを印刷出力し、
前記第１の確認手段で前記添付ファイルが展開不可能と確認した場合、該添付ファイルを印刷出力しない
ことを特徴とするインターネット通信装置。
【請求項４】
前記印刷手段は、
前記第１の確認手段で展開可能と確認した添付ファイルの容量が所定の容量より大きい場合、該添付ファイルを印刷出力しない
ことを特徴とする請求項３記載のインターネット通信装置。
【発明の詳細な説明】
【０００１】
【発明の属する技術分野】
本発明は、インターネット通信装置の通信制御方法及びインターネット通信装置に関し、特に、何らかの理由で転送拒否をした場合、自動的に転送拒否理由を印刷するようにしたインターネット通信装置の通信制御方法及びインターネット通信装置に関する
【従来の技術】
従来、Ｌｏｃａｌ  Ａｒｅａ  Ｎｅｔｗｏｒｋ（以下、これをＬＡＮという）上及びインターネットと接続してデータのやりとりを行う機能と公衆交換電話網（以下、これをＰＳＴＮという）を介して通常のファクシミリメッセージ送受信を行う機能を有するインターネットファクシミリ装置が実用されている。
【０００２】
このようなインターネットファクシミリ装置を利用して、画情報を電子メール（以下、これをＥｍａｉｌという）としてインターネット経由で遠隔地に転送することが可能なので、通信コストを大幅に削減することができる。
【０００３】
また、この種のインターネットファクシミリ装置においては、ＬＡＮ若しくはインターネットを経由して受信したＥｍａｉｌをファクシミリ画情報で転送する機能（以下、これをＥｍａｉｌ  ｔｏ  ＦＡＸ  Ｇａｔｅｗａｙという）が実現できる。
【０００４】
ただし、この種のインターネットファクシミリ装置が有するＥｍａｉｌ  ｔｏＦＡＸ  Ｇａｔｅｗａｙ機能を全く無関係な第三者に使用される恐れがある。そこで、この種のインターネットファクシミリ装置は、許可していない送信先からのファクシミリ転送要求を拒否すること、許可していない転送先へのファクシミリ転送を拒否することができる。
【０００５】
また、この種のインターネットファクシミリ装置は、添付ファイルが規定のフォーマットで展開できない場合や装置のメモリがフル状態になった場合等の理由でファクシミリ転送を拒否することがある。
【０００６】
【発明が解決しようとする課題】
しかし、Ｅｍａｉｌ  ｔｏ  ＦＡＸ  Ｇａｔｅｗａｙ機能を有するインターネットファクシミリ装置において、指定された宛先（電話番号）へのファクシミリ転送が上記の理由により拒否した場合、インターネットファクシミリ装置はファクシミリ転送拒否の理由をオペレーターに通知する方法がないため、オペレーターはインターネットファクシミリ装置がどのような状態にあるのかを把握することが困難であった。
【０００７】
そこで、本発明は、転送拒否をしたインターネット通信装置が転送拒否理由をプリントアウトすることでオペレーターは装置がどのような状態にあるのかを容易に把握することができるようにしたインターネット通信装置の通信制御方法及びインターネット通信装置を提供することを目的とする。
【０００８】
【課題を解決するための手段】
上記目的を達成するため、請求項１の発明は、インターネットを経由して文書情報の送受信を行うとともに、公衆交換電話網を経由してファクシミリ画情報の送受信を行うインターネット通信装置の通信制御方法において、前記インターネットを経由して受信した電子メールを前記ファクシミリ画情報として転送するに際して該転送を拒否した場合、該電子メールの添付ファイルが展開できるか否か確認し、前記添付ファイルが展開可能と確認した場合、前記電子メールおよび前記転送の拒否理由とともに該添付ファイルを印刷出力し、前記添付ファイルが展開不可能と確認した場合、該添付ファイルを印刷出力しないことを特徴とする。
【０００９】
また、請求項２の発明は、請求項１の発明において、前記展開可能と確認した添付ファイルの容量が所定の容量より大きい場合、該添付ファイルを印刷出力しないことを特徴とする。
【００１０】
また、請求項３の発明は、インターネットを経由して文書情報の送受信を行うとともに、公衆交換電話網を経由してファクシミリ画情報の送受信を行うインターネット通信装置において、前記インターネットを経由して受信した電子メールを前記ファクシミリ画情報として転送する処理を拒否する転送拒否手段と、前記転送拒否手段で前記転送を拒否した場合、前記電子メールおよび該転送の拒否理由を印刷出力する印刷手段と、前記転送拒否手段で前記転送を拒否した場合、前記電子メールの添付ファイルが展開できるか否か確認する第１の確認手段とを具備し、前記印刷手段は、前記第１の確認手段で前記添付ファイルが展開可能と確認した場合、前記電子メールおよび前記転送の拒否理由とともに該添付ファイルを印刷出力し、前記第１の確認手段で前記添付ファイルが展開不可能と確認した場合、該添付ファイルを印刷出力しないことを特徴とする。
【００１１】
また、請求項４の発明は、請求項３の発明において、前記印刷手段は、前記第１の確認手段で展開可能と確認した添付ファイルの容量が所定の容量より大きい場合、該添付ファイルを印刷出力しないことを特徴とする。
【００１８】
【発明の実施の形態】
以下、本発明に係わる実施の形態について添付図面を参照して詳細に説明する。
【００１９】
図１は、本発明に係わるインターネットファクシミリ装置のシステム構成を示す図である。
【００２０】
図１に示すように、このインターネットファクシミリ装置は装置全体の制御処理を行うＣＰＵ１０１、装置の制御プログラムに用いる記憶装置１０２、使用者が装置を操作するために使用する操作表示装置１０３、送信原稿を読み取る読取装置１０４、受信画像等を記録紙に印字する印字装置１０５、画像に対して符号化、復号化、拡大、縮小等を行う画像処理装置１０６、受信若しくは送信画像を格納する画像蓄積装置１０７、インターネットファクシミリ全体を制御するプログラム（ＲＯＭ）を有するシステム制御部１０８、電話網に適した通信を制御するための通信制御部１０９、ネットワークに接続する通信を制御するためのネットワーク制御部１１０、網へ接続するための網制御装置１１１、低速モードと高速モード機能を備えた変復調装置であるモデム１１２、Ｅｔｈｅｒｎｅｔに接続するためのＥｔｈｅｒｎｅｔ  Ｉ／Ｆ１１３、相互にデータのやり取りをするためのシステムバス１１４、複数の外部回線インタフェースと複数の内部通信回路を切換接続する回線切換え制御装置１１５を備えて構成されている。
【００２１】
上記各構成部のうち、ＣＰＵ１０１から網制御装置１１１及び回線切換え制御装置１１５が、上記システムバス１１４を介して接続され、相互にデータの送受を行っている。更に、ファクシミリからの受信のためのモデム１２とＥｔｈｅｒｎｅｔ  Ｉ／Ｆ１１３を具有している。
【００２２】
図２は、本発明に係わるインターネットファクシミリ装置２０５を含む通信システムの構成を示す図である。
【００２３】
図２に示すように、このインターネットファクシミリ装置２０５を含む通信システムはＬＡＮ２０１、ルータ２０２、ＬＡＮ２０１にネットワーク端末として接続されたメールサーバ２０３、ＰＣ（パーソナルコンピュータ）ａ２０４ａ、ＰＣｂ２０４ｂ、インターネットファクシミリ装置２０５から構成されている。
【００２４】
メールサーバ２０３は各ネットワーク端末のＰＣａ２０４ａ、ＰＣｂ２０４ｂ、インターネットファクシミリ装置２０５にとってのＰＯＰ（Ｐｏｓｔ  Ｏｆｆｉｃｅ  Ｐｒｏｔｏｃｏｌ）サーバとして、各ネットワーク端末からの要求に応じて電子メール受信及び蓄積している該ネットワーク端末宛ての電子メールを配信し、該ネットワーク端末から送信された電子メールを中継して宛先に配信する。
【００２５】
またＬＡＮ２０１はルータ２０２を介してインターネット２０６へ接続され、他のＬＡＮ等に接続されているホスト装置間で様々なデータのやりとりが可能である。
【００２６】
このインターネットファクシミリ装置２０５はＰＳＴＮ２０７と接続し、他の通常のファクシミリ装置ａ２０８ａ若しくはファクシミリ装置ｂ２０８ｂとファクシミリ画情報の送受信が可能である。
【００２７】
図３は、本発明に係わるインターネットファクシミリ装置３０５が有するＥｍａｉｌ  Ｔｏ  ＦＡＸ  Ｇａｔｅｗａｙ機能のシステム構成を示す図である。
【００２８】
図３に示すように、このインターネットファクシミリ装置３０５を含む通信システムはＬＡＮ３０１、ルータ３０２、ＬＡＮ３０１にネットワーク端末として接続されたメールサーバ３０３、ＰＣ３０４、インターネットファクシミリ３０５から構成されている。ＬＡＮ３０１はルータ３０２を介してインターネット３０６へ接続され、他のＬＡＮ等に接続されているホスト装置間で様々なデータのやりとりが可能である。このインターネットファクシミリ装置３０５は、ＰＳＴＮ３０７と接続し、他の通常のファクシミリ装置３０８とファクシミリ画情報の送受信が可能である。
【００２９】
Ｅｍａｉｌ  Ｔｏ  ＦＡＸ  Ｇａｔｅｗａｙ機能とは、インターネットファクシミリ装置３０５がＬＡＮ３０１若しくはインターネット３０６を経由して届く様々なＥｍａｉｌ３０９を受信し、場合によっては自機でファクシミリ文書３１０のプリント出力を行い、ファクシミリへのＧａｔｅｗａｙ指示が付いている際にはファクシミリ装置３０８にファクシミリ画情報として転送することである。
【００３０】
しかし、Ｅｍａｉｌ  ｔｏ  ＦＡＸ  Ｇａｔｅｗａｙ機能を有するインターネットファクシミリ装置のＦＡＸ番号及びＥｍａｉｌ  Ａｄｄｒｅｓｓが全く無関係な第三者に知られると、悪用される恐れがあるため、インターネットファクシミリ装置は、ファクシミリ転送要求をする送信先とファクシミリ転送をする転送先の許可を予め設定することができ、許可してない送信先のファクシミリ転送要求と許可してない転送先へのファクシミリ転送を拒否することができる。
【００３１】
また、この種のインターネットファクシミリ装置は、添付ファイルが規定のフォーマットで展開できない場合や装置のメモリがフル状態になった場合等の理由でファクシミリ転送を拒否することがある。
【００３２】
図４は、本発明に係わるインターネットファクシミリ装置がＥｍａｉｌ  ＴｏＦＡＸ  Ｇａｔｅｗａｙ機能においてファクシミリ転送を拒否した場合にプリントしたＥｍａｉｌの出力例である。
【００３３】
このＥｍａｉｌは、ファクシミリ転送を拒否した理由、受信したＥｍａｉｌのヘッダ部、受信したＥｍａｉｌの本文、受信したＥｍａｉｌの添付ファイルから構成されている。
【００３４】
ここで、本発明に係わるインターネットファクシミリ装置がＥｍａｉｌ  ＴｏＦＡＸ  Ｇａｔｅｗａｙ機能においてファクシミリ転送を拒否した場合、受信したＥｍａｉｌをプリントする処理手順について図５が示すフローチャートを参照して説明する。
【００３５】
インターネットファクシミリ装置がＥｍａｉｌを受信し（ステップ５０１）、何らかの理由でファクシミリ転送を拒否し（ステップ５０２）、受信したＥｍａｉｌの添付ファイルが規定のフォーマットで展開できるか確認する（ステップ５０３）。添付ファイルが規定のフォーマットで展開できる場合（ステップ５０３でＹＥＳ）、添付ファイルの容量が膨大か否か確認する（ステップ５０４）。添付ファイルの容量が膨大でない場合（ステップ５０４でＮＯ）、受信したＥｍａｉｌにファクシミリ転送拒否理由と展開した添付ファイルを埋め込み（ステップ５０５）、プリントアウトし（ステップ５０６）、処理手順を終了する。
【００３６】
添付ファイルが規定のフォーマットで展開できない場合（ステップ５０３でＮＯ）、及び添付ファイルの容量が膨大な場合（ステップ５０４でＹＥＳ）、受信したＥｍａｉｌにファクシミリ転送拒否理由を埋め込み（ステップ５０７）、プリントアウトし（ステップ５０６）、処理手順を終了する。
【００３７】
上記で添付ファイルが膨大な場合、膨大な添付ファイル全て展開してＥｍａｉｌに埋め込んでプリントアウトすると記録紙の無駄になるため、ファクシミリ転送拒否理由だけをＥｍａｉｌに埋め込む。
【００３８】
そして、このプリントアウトされたＥｍａｉｌが、このインターネットファクシミリ装置のオペレータにファクシミリ転送拒否理由を通知することになる。
【００３９】
【発明の効果】
以上説明したように本発明によれば、Ｅｍａｉｌ  Ｔｏ  ＦＡＸ  Ｇａｔｅｗａｙ機能を有するインターネットファクシミリ装置が何らかの理由でファクシミリ転送を拒否した場合、自動的にファクシミリ転送拒否理由をファクシミリ転送拒否したＥｍａｉｌに埋め込んでプリントアウトすることで、インターネットファクシミリ装置のオペレーターが装置の状態を容易に把握することができ、装置に問題があれば即急に対応できるという効果を奏する。
【図面の簡単な説明】
【図１】本発明に係わるインターネットファクシミリ装置のシステム構成を示す図である。
【図２】本発明に係わるインターネットファクシミリ装置を含む通信システムの構成を示す図である。
【図３】本発明に係わるインターネットファクシミリ装置が有するＥｍａｉｌ  Ｔｏ  ＦＡＸ  Ｇａｔｅｗａｙ機能のシステム構成を示す図である。
【図４】本発明に係わるインターネットファクシミリ装置がＥｍａｉｌ  Ｔｏ  ＦＡＸＧａｔｅｗａｙ機能においてファクシミリ転送を拒否した場合にプリントしたＥｍａｉｌの出力例である。
【図５】本発明に係わるインターネットファクシミリ装置がＥｍａｉｌ  Ｔｏ  ＦＡＸＧａｔｅｗａｙ機能においてファクシミリ転送を拒否した場合、受信したＥｍａｉｌをプリントする処理手順を示すフローチャートである。
【符号の説明】
１０１    ＣＰＵ
１０２    記憶装置
１０３    操作表示装置
１０４    読取装置
１０５    印字装置
１０６    画像処理装置
１０７    画像蓄積装置
１０８    システム制御部
１０９    通信制御部
１１０    ネットワーク制御部
１１１    網制御装置
１１２    モデム
１１３    Ｅｔｈｅｒｎｅｔ  Ｉ／Ｆ
１１４    システムバス
１１５    回線切換え制御装置
２０１    ＬＡＮ
２０２    ルータ
２０３    メールサーバ
２０４ａ  ＰＣａ
２０４ｂ  ＰＣｂ
２０５    インターネットファクシミリ装置
２０６    インターネット
２０７    ＰＳＴＮ
２０８ａ  ファクシミリ装置ａ
２０８ｂ  ファクシミリ装置ｂ
３０１    ＬＡＮ
３０２    ルータ
３０３    メールサーバ
３０４    ＰＣ
３０５    インターネットファクシミリ装置
３０６    インターネット
３０７    ＰＳＴＮ
３０８    ファクシミリ装置
３０９    Ｅ−Ｍａｉｌ
３１０    ファクシミリ文書
【図１】
0003852282.tif 000002
【図２】
0003852282.tif 000003
【図３】
0003852282.tif 000004
【図４】
0003852282.tif 000005
【図５】
0003852282.tif 000006